(57)【特許請求の範囲】
【請求項１】
券発行機により所定の入場情報を印字した利用券を発行し、
所定の店舗に設置された所定のテナントチェッカにより前記利用券に所定のサービス情報を印字し、
料金精算機により前記利用券から読み取った前記入場情報または前記サービス情報に印字不具合を検出した場合に、前記料金精算機は印字不具合情報を前記券発行機に通信することを特徴とする利用券管理システム。
【請求項２】
前記券発行機は、前記印字不具合情報に基づいて不具合印字位置を避けた位置に印字位置を変更することを特徴とする請求項１に記載の利用券管理システム。
【請求項３】
利用者に所定の入場情報を印字した利用券を発行する券発行機と、
利用者が利用する利用券に印字された入場情報を読み取る読み取り部と、この読み取った情報から印字不具合位置を検出する印字不具合位置検出部と、前記印字不具合位置検出部により検出された印字不具合情報を前記券発行機に通信する通信部とを備えた料金精算機と、を備え、
前記券発行機は、前記料金精算機の前記通信部から送られる前記印字不具合情報に基づいて、前記入場情報を印字する位置を印字不具合位置を避けた位置に設定する印字位置設定部を備えていることを特徴とする利用券管理システム。
【請求項４】
所定の店舗に設置され前記利用券に所定のサービス情報を印字するテナントチェッカを備え、
前記印字不具合位置検出部は、前記テナントチェッカによるサービス情報の印字不具合位置も検出するものであることを特徴とする請求項３に記載の利用券管理システム。
【請求項５】
前記券発行機は、前記テナントチェッカの印字不具合情報を前記入場情報と共に印字するものであり、前記テナントチェッカは、前記印字不具合情報に基づいて前記サービス情報を印字する位置を印字不具合位置を避けた位置に設定する印字位置設定部を備えていることを特徴とする請求項１、請求項２または請求項４のいずれか一項に記載の利用券管理システム。
【請求項６】
前記料金精算機は、前記印字不具合情報を保守ステーションに通知するものであることを特徴とする請求項１から請求項５のいずれか一項に記載の利用券管理システム。
【請求項７】
前記利用券は、駐車場で利用する駐車券であり、前記サービス情報は、駐車場の割引サービスを行うための情報であることを特徴とする請求項１、請求項２、請求項４または請求項５のいずれか一項に記載の利用券管理システム。
【発明の詳細な説明】
【技術分野】
【０００１】
本発明は利用券管理システムに係り、特に、所定の情報の印字の不具合を検出して利用券の適正な管理を行うことを可能とした利用券管理システムに関するものである。
【背景技術】
【０００２】
一般に、時間貸しの駐車場においては、駐車場利用者に対して駐車券を発行するようにしており、この駐車券としては、従来、一面に磁気記録面を有し、この磁気記録面に所定の情報を記録するようにしてなる磁気式の駐車券がある。
この磁気式の駐車券は、簡単に複製しにくく、変形などに対してある程度の耐性があり、駐車場の提携店舗による駐車料金の割引処理などの追記が可能であるといった理由から従来から多く用いられている。
【０００３】
しかし、近年、磁気式の駐車券より安価で、環境面にも配慮した駐車券が求められてきている。
【０００４】
そこで、例えば、感熱紙などの紙媒体からなる駐車券に入場時刻などの所定の情報をバーコードで書き込むとともに、提携店舗におけるテナントチェッカでの割引情報などもバーコードで書き込み、これら各バーコードにより、入庫時間など所定の情報と、割引情報とを読み取り、割引処理や駐車料金の精算を行う技術が開示されている（例えば、特許文献１参照）。
【特許文献１】特開平５−１２８３３６号公報
【発明の開示】
【発明が解決しようとする課題】
【０００５】
しかしながら、前記特許文献１に記載の発明においては、駐車券発行機やテナントチェッカに内蔵されている印字部に汚れが付着していたり、例えば、サーマルプリンタにおけるサーマルヘッドの発熱体が欠けたりしていると、駐車券の印字にかすれやドット抜けなどの印字不具合が生じる。そして、著しい印字不具合の場合には、印字されているバーコードが料金精算機で読取り不能となるために駐車料金の割引サービスが適用されなかったり、精算できなくなったりするなどの精算処理不具合が発生するおそれがあるという問題を有している。
【０００６】
また、このようなサーマルヘッドの汚れや発熱体の欠けは、初めはヘッドの一部分の範囲にあるため二次元コードは誤り補正を行うことで読取り可能であるが、保守を行わないでいると汚れや欠けの部分が多くなり、読取り不能となることが考えられるため、汚れや欠けの小さいうちに保守をことが要望されている。
【０００７】
本発明は前記した点に鑑みてなされたものであり、印字部による印字不具合を検出することにより、印字部による適正な印字を行うとともに、印字部による情報を確実に読み取ることができ、精算処理の不具合などの発生を確実に防止することのできる利用券管理システムを提供することを目的とするものである。
【課題を解決するための手段】
【０００８】
本発明は前記目的を達成するために、請求項１に係る発明は、券発行機により所定の入場情報を印字した利用券を発行し、所定の店舗に設置された所定のテナントチェッカにより前記利用券に所定のサービス情報を印字し、料金精算機により前記利用券から読み取った前記入場情報または前記サービス情報に印字不具合を検出した場合に、前記料金精算機は印字不具合情報を前記券発行機に通信することを特徴とする。
請求項２に係る発明は、請求項１において、前記券発行機は、前記印字不具合情報に基づいて不具合印字位置を避けた位置に印字位置を変更することを特徴とする。
請求項３に係る発明は、利用者に所定の入場情報を印字した利用券を発行する券発行機と、利用者が利用する利用券に印字された入場情報を読み取る読み取り部と、この読み取った情報から印字不具合位置を検出する印字不具合位置検出部と、前記印字不具合位置検出部により検出された印字不具合情報を前記券発行機に通信する通信部とを備えた料金精算機と、を備え、
前記券発行機は、前記料金精算機の前記通信部から送られる前記印字不具合情報に基づいて、前記入場情報を印字する位置を印字不具合位置を避けた位置に設定する印字位置設定部を備えていることを特徴とする。
【０００９】
請求項４に係る発明は、請求項３において、所定の店舗に設置され前記利用券に所定のサービス情報を印字するテナントチェッカを備え、前記印字不具合位置検出部は、前記テナントチェッカによるサービス情報の印字不具合位置も検出するものであることを特徴とする。
【００１０】
請求項５に係る発明は、請求項１、請求項２または請求項４のいずれか一項において、前記券発行機は、前記テナントチェッカの印字不具合情報を前記入場情報と共に印字するものであり、前記テナントチェッカは、前記印字不具合情報に基づいて前記サービス情報を印字する位置を印字不具合位置を避けた位置に設定する印字位置設定部を備えていることを特徴とする。
【００１１】
請求項６に係る発明は、請求項１から請求項５のいずれか一項において、前記料金精算機は、前記印字不具合情報を保守ステーションに通知するものであることを特徴とする。
【００１２】
請求項７に係る発明は、請求項１、請求項２、請求項４または請求項５のいずれか一項において、前記利用券は、駐車場で利用する駐車券であり、前記サービス情報は、駐車場の割引サービスを行うための情報であることを特徴とする。
【発明の効果】
【００１３】
請求項１に係る発明によれば、料金精算機により利用券から読み取った入場情報またはサービス情報に印字不具合を検出した場合に、料金精算機により印字不具合情報を券発行機に通信するようにしているので、料金精算機において、入場情報またはサービス情報の印字不具合よる読み取り不能による精算処理の不具合を確実に防止することができる。
請求項２に係る発明によれば、券発行機により、印字不具合情報に基づいて不具合印字位置を避けた位置に印字位置を変更するようにしているので、券発行機により、印字不具合位置を避けて適正な入場情報を印字することができ、料金精算機による読み取り不能による精算処理の不具合を確実に防止することができる。
請求項３に係る発明によれば、料金精算機の印字不具合位置検出部により、利用券に印字された入場情報の印字不具合を検出し、この印字不具合情報を通信部を介して駐車券発行機に送るようにしているので、券発行機により、印字不具合位置を避けて適正な入場情報を印字することができ、料金精算機による読み取り不能による精算処理の不具合を確実に防止することができる。
【００１４】
請求項４に係る発明によれば、料金精算機の印字不具合位置検出部により、テナントチェッカにおいて利用券に印字されたサービス情報の印字不具合を検出し、この印字不具合情報を券発行機に送ることができる。
【００１５】
請求項５に係る発明によれば、券発行機により、料金精算機から送られる印字不具合情報に基づいて入場情報と共に印字不具合情報を印字するようにしているので、テナントチェッカにおいても印字不具合位置を避けて適正なサービス情報を印字することができ、料金精算機による読み取り不能による割引処理の不具合を確実に防止することができる。
【００１６】
請求項６に係る発明によれば、料金精算機の通知部により、印字不具合が検出された場合に印字不具合情報を保守ステーションに通知するようにしているので、早期のメンテナンスが可能となり、印字不具合を早期に解消することができる。
【００１７】
請求項７に係る発明によれば、利用券は駐車場で利用する駐車券であり、サービス情報は駐車場の割引サービスを行うための情報としているので、駐車場を利用してその駐車場と提携している店舗で割引サービスを受けることが可能となる。
【発明を実施するための最良の形態】
【００１８】
以下、本発明の実施の形態について図面を参照しながら説明する。
【００１９】
図１は本発明に係る利用券管理システムを駐車券の割引管理システムに適用した場合の実施形態を示す概略図である。図１に示すように、本実施形態の割引管理システムは、駐車場の入場ゲート機付近に設置された駐車券発行機１を備えており、駐車券発行機１は、車両検知器２により車両が駐車場の入口に接近したことを検出した際に、利用券としての駐車券３（図２参照）を発券する発行機制御部４を備えている。
【００２０】
この駐車券発行機１は、当該駐車場を識別するコード、駐車券３の１枚ごとに異なる発券番号、入場日時および当該駐車券発行機１の識別番号などで構成される入場情報を生成する入場情報生成部５を備えている。入場情報生成部５による発券番号は、入庫する車両に対して発券する駐車券３毎に固有の番号であり、同一の番号が付されることはない。
また、駐車券発行機１は、入場情報生成部５により生成された入場情報、当該駐車券発行機１の識別番号および印字の不具合が生じている不具合機器番号に対応する二次元の駐車券用コード６を駐車券３に印字する印字部としての駐車券印字部７を備えており、駐車券発行機１は、駐車券印字部７による印字位置を駐車券３の任意の位置に設定する印字位置設定部８を備えている。
【００２１】
機械読取りのための情報を記録するための二次元コードとしては、例えば、「ＱＲコード（登録商標）」（ＪＩＳＸ０５１０）がある。入場情報、事前精算情報、割引情報を記録するために十分な容量が確保できるのであれば、他の規格の二次元コードや、一次元のいわゆるバーコードを用いてもよい。さらに、文字認識技術を用いることで、暗号化した状態で目視可能な文字そのものを機械読取りに利用するようにしてもよい。
【００２２】
また、駐車券印字部７の印字方式としては、例えば、サーマルヘッドによる感熱印字の他、熱転写印字、ドットプリンタ、インクジェットプリンタなどの印字結果が機械読取りおよび目視可能な方式であれば、いずれの方式を用いるようにしてもよい。また、本実施形態においては、駐車券印字部７により二次元の駐車券用コード６を書き込むようにしているが、駐車券印字部７により書き込み可能で目視化されたデータであれば、例えば、一次元バーコードや数字配列などを書き込むようにしてもよい。
【００２３】
また、駐車券発行機１は、料金精算機９の通信部１０と通信を行うための通信部１１が設けられている。
【００２４】
また、駐車場と提携している店舗には、テナントチェッカ１２が駐車券発行機１に対してオフライン状態で設置されている。テナントチェッカ１２は、駐車券３の駐車券用コード６を読み取る駐車券読み取り部１３を備えており、テナントチェッカ１２は、個々の駐車場を識別するための駐車場コード、割引の種別（例えば、３０分割引、６０分割引等）を表す割引種別コードおよびテナントチェッカ１２の機器を識別する機器番号から構成される二次元の割引用コード１４を生成する割引情報生成部１５を備えている。さらに、テナントチェッカ１２には、割引情報生成部１５により生成された割引用コード１４を書き込む印字としての割引情報印字部１６が設けられており、テナントチェッカ１２には、割引情報印字部１６による印字位置を設定する印字位置設定部１７が設けられている。
【００２５】
また、テナントチェッカ１２には、駐車券読み取り部１３により駐車券用コード６を読み取った際に、駐車券用コード６に含まれる不具合機器番号が自機と一致するか否かを判断し、不具合機器番号が自機と一致する場合に、割引用コード１４を印字するときに、印字不具合の発生している位置を避けて割引用コード１４を印字するように印字位置設定部１７を制御するチェッカ制御部１８が設けられている。
【００２６】
また、駐車場の出場ゲート機付近には、料金精算機９が設置されており、料金精算機９は、車両検知器１９により車両が駐車場の出口に接近したことを検出した際に、駐車券３を挿入可能とする精算機制御部２０を備えている。
【００２７】
また、料金精算機９は、駐車券３に書き込まれた駐車券用コード６を読み取って複合化する駐車券読み取り部２１を備えている。料金精算機９には、駐車券読み取り部２１により読み取られた駐車券用コード６から駐車券３の入場情報に含まれている駐車場を識別するコードなどを用いて駐車券３が有効か無効かを判定する駐車券判定部２２を備えている。
【００２８】
また、料金精算機９は、駐車券読み取り部２１により読み取られた割引用コード１４から割引情報に含まれている駐車場コードおよび割引種別コードを用いて、その割引情報が有効か否かを判別する割引情報判定部２３を備えている。
【００２９】
さらに、料金精算機９には、駐車券用コード６の情報、例えば、車両の入庫時間と現在の時刻とに基づいて所定の駐車料金を計算するとともに、割引情報判定部２３により正規な情報と判断された割引用コード１４の割引情報に基づいて割引精算処理を行う精算部２４が設けられている。さらに、料金精算機９には、車両の運転者に対して所定の精算指示を表示する表示部２５が設けられている。
【００３０】
また、料金精算機９は、本実施形態においては、印字不具合位置検出部２６を備えている。
一般に、二次元コードは、暗・明それぞれが１・０を表す正方形状のモジュールが縦横に多数並んだ形状のシンボルである。また、読み取りを確実にするために暗・明のモジュールが二次元コードのシンボル全体にバランスよく配置される処理が施されている。このことから、１つのシンボルの中で縦方向のラインの暗・明の比率を求めると、およそ暗の比率が５０％程度となると考えられる。
【００３１】
ここで、図３に示すように、駐車券用コード６に印字不具合が発生した場合に、図４に示すように、印字時にヘッドの汚れや発熱体の欠けがあったライン（図４中矢印参照）では、まったく印字がなされないため、そのラインの暗の比率は０％となる。このことから、この印字不具合位置検出部２６は、駐車券３の印字画像から二次元コードのシンボルだけを切り出し、縦方向のラインにおける暗の比率が著しく低いラインを検出することで、ヘッドの汚れや発熱体の欠けによる印字不具合を検出するものである。
【００３２】
また、例えば、二次元コードの読み取りの誤りが生じた場合でも、その誤りを訂正する誤り訂正機能を備えているが、この二次元コードの誤り訂正機能により読取り誤りの訂正を行った比率を求め、比率が一定以上の場合に印字不具合が発生していると判定するようにしてもよい。この訂正比率による印字不具合の判定手法は、前述の暗・明比率による印字不具合の判定手法と併せて行うようにしてもよいし、別個に行うようにしてもよい。
【００３３】
さらに、この印字不具合位置検出部２６により、印字不具合位置があることを検出した場合は、駐車券用コード６または割引用コード１４の印字の不具合が生じている不具合機器番号および印字不具合位置からなる印字不具合情報を通信部１０，１１を介して駐車券発行機１に通知するような構成されている。このとき、本実施形態においては、テナントチェッカ１２とはオンラインで接続されていないので、テナントチェッカ１２に対する通知は行わない。
【００３４】
さらに、本実施形態においては、料金精算機９の通信部１０には、保守ステーション２７が接続されており、料金精算機９の印字不具合位置検出部２６により印字不具合情報が入力保守ステーション２７に通知し、該当する機器のメンテナンスを行うように促すように構成されている。なお、この保守ステーション２７への通知に代えて、保守員による定期点検等の際に、印字不具合情報を表示部２５などに表示してメンテナンスを行うように促すようにしてもよい。
【００３５】
なお、前記実施形態においては、駐車券読み取り部２１、駐車券判定部２２、割引情報判定部２３および精算部２４などを駐車場の出場口側に設置された料金精算機９に設けるようにしているが、車両に乗車する前に精算を行う事前精算機に同様な構成を設けるようにしてもよい。
【００３６】
次に、本実施形態の作用について説明する。
【００３７】
まず、料金精算機９による精算処理について図８に示すフローチャートを参照して説明する。
【００３８】
駐車場の出口に車両が接近したことを車両検知器１９が検出すると（ＳＴ１）、料金精算機９に駐車券３が挿入可能となる。駐車券３が挿入されると（ＳＴ２）、駐車券３に印字されている駐車券用コード６および割引用コード１４を駐車券読み取り部２１により読取って、それぞれの二次元コードの画像を取得するとともに（ＳＴ３）、駐車券用コード６および割引用コード１４の内容を読み取って復号化し、記録されている入場情報および割引情報を得る（ＳＴ４）。
【００３９】
次に、駐車券判定部２２により、駐車券用コード６の入場情報に含まれている駐車場を識別するコードなどを用いて駐車券３が有効か無効かを判定するとともに、割引情報判定部２３により、割引用コード１４の割引情報に含まれている駐車場コードおよび割引種別コードを用いて、その割引情報が有効か否かを判別する。そして、駐車券３および割引情報が有効であると判定した場合には、所定の駐車料金を計算する（ＳＴ５）。
【００４０】
利用者が料金を支払い（ＳＴ６）、精算処理が完了したら、カーゲートを開き、車両を出場させる。
【００４１】
その後、印字不具合の判定を行う（ＳＴ７）。この印字不具合の判定処理について、図９に示すフローチャートを参照してさらに詳細に説明する。
【００４２】
駐車券３に印字されている駐車券用コード６および割引用コード１４を駐車券読み取り部２１により読取って取得した二次元コードの画像からシンボルを切り出し（ＳＴ１０）、シンボルの縦方向のライン毎に暗の比率を求める（ＳＴ１１）。
【００４３】
そして、暗の比率が著しく低いラインがあるか否か判断し（ＳＴ１２）、暗の比率の低いラインが存在する場合には、保守ステーション２７に対して機器メンテナンスを促すメッセージを出力する（ＳＴ１３）。暗の比率の低いラインが存在しない場合は、印字不具合なしと判定する（ＳＴ１４）。
【００４４】
一方、複数のテナントチェッカ１２または駐車券発行機１のうちの印字不具合発生機器が料金精算機９に対してオンライン接続されているか判断し（ＳＴ１５）、オンライン接続されている場合には、その機器（本実施形態においては、駐車券発行機１）に印字不具合情報を通知する（ＳＴ１６）。オンライン接続されていない場合は、印字不具合発生機器の機器番号および印字不具合のライン位置からなる印字不具合情報を駐車券発行機１に通知する（ＳＴ１７）。本実施形態においては、駐車券発行機1が料金精算機９にオンライン接続されているため、印字不具合情報は駐車券発行機１にのみ通知され、各テナントチェッカ１２は料金精算機９にオンライン接続されていないため、各テナントチェッカ１２には印字不具合情報は通知されない。
【００４５】
次に、駐車券発行機１による印字不具合情報を受けた際の処理について、図１０に示すフローチャートを参照して説明する。
【００４６】
駐車券発行機１は、料金精算機９から駐車券発行機１の印字不具合情報を受けているか判断し（ＳＴ２０）、印字不具合情報を受けている場合は、印字位置設定部８により、印字不具合位置を避けた位置に印字位置を設定する（ＳＴ２１）。印字不具合情報を受けていない場合は、印字位置設定部８により通常の印字位置に設定する（ＳＴ２２）。
【００４７】
また、料金精算機９から複数のテナントチェッカ１２のうちの印字不具合発生機器の印字不具合位置の通知を受けているか否か判断し（ＳＴ２３）、印字不具合発生機器の印字不具合情報を受けている場合は、印字不具合の生じている機器番号および印字不具合位置の情報を入場情報に付加して印字するように設定する（ＳＴ２４）。印字不具合情報を受けていない場合は、入場情報に対する情報の付加は行わない（ＳＴ２５）。
【００４８】
続いて、駐車券発行機１による駐車券３の発行処理について、図１１に示すフローチャートを参照して説明する。
【００４９】
駐車場の入口に車両が接近したことを車両検知器２が検出したら（ＳＴ３０）、入場情報生成部５により、当該駐車場を識別するコード、駐車券３の１枚ごとに異なる発券番号および入場日時などで構成される入場情報を生成する（ＳＴ３１）。そして、印字不具合発生機器が駐車券発行機１でないときは、この入場情報に、印字不具合発生機器の不具合情報を付加し（ＳＴ３２）、印字不具合発生機器が駐車券発行機１であるときには、印字位置設定部８により印字不具合位置を避けた位置に印字位置を設定する（ＳＴ３３）。
【００５０】
そして、駐車券印字部７により、この印字位置設定部８により設定された印字位置に、入場情報に不具合情報を付加して印字し、駐車券３を発行する（ＳＴ３４）。例えば、図３に示す位置に印字不具合ラインがある場合には、図４に示すように、この印字不具合ラインを避けて駐車券用コード６を印字するものである。その後、駐車券３が抜きとられると、カーゲートが開き車両が入場可能となる（ＳＴ３５）。
【００５１】
次に、テナントチェッカ１２による割引処理について、図１２に示すフローチャートを参照して説明する。
【００５２】
店舗において、テナントチェッカ１２に駐車券３を挿入すると（ＳＴ４０）、駐車券３に印字されている駐車券用コード６を駐車券読み取り部１３により読取って復号化する（ＳＴ４１）。そして、駐車券用コード６に自機の不具合情報が含まれているか否か判断し（ＳＴ４２）、印字不具合情報が含まれている場合には、印字不具合位置を避けた位置に印字位置を設定する（ＳＴ４３）。印字不具合のライン位置の通知を受けていない場合は、通常の印字位置に設定する（ＳＴ４４）。
【００５３】
割引情報生成部１５により、割引情報を生成し（ＳＴ４５）、駐車券印字部７により、この印字位置設定部１７により設定された印字位置に、割引用コード１４を印字して、駐車券３を返却する（ＳＴ４６）。例えば、図６に示す位置に印字不具合ラインがある場合には、図７に示すように、この印字不具合ラインを避けて割引用コード１４を印字するものである。
【００５４】
したがって、本実施形態においては、料金精算機９の印字不具合位置検出部２６により、駐車券用コード６および割引用コード１４の印字不具合を検出し、この印字不具合情報を駐車券発行機１に送るようにしているので、駐車券発行機１により、印字不具合位置を避けて適正な駐車券用コード６を印字することができ、料金精算機９による読み取り不能による精算処理の不具合を確実に防止することができる。
【００５５】
また、駐車券発行機１により、料金精算機９から送られる印字不具合情報に基づいて入場情報と共に印字不具合情報を印字するようにしているので、テナントチェッカ１２においても印字不具合位置を避けて適正な割引用コード１４を印字することができ、料金精算機９による読み取り不能による割引処理の不具合を確実に防止することができる。
【００５６】
さらに、印字不具合が検出された場合に、その旨を保守ステーション２７に通知するようにしているので、早期のメンテナンスが可能となり、印字不具合を早期に解消することができる。
【００５７】
なお、前記実施形態においては、印字不具合の検出は、駐車券用コード６および割引用コード１４を読み取ることにより行うようにしたが、例えば、図１３に示すように、駐車券３の印字方向に対して直交する方向に１本のライン状の検出用マーク２８を印字し、この検出用マークを検出することにより印字不具合を検出するようにしてもよい。さらに、図１４に示すように、１本のライン状ではなく、短いライン状の検出用マーク２８を階段状に印字することにより、印字不具合を検出するようにしてもよい。
【００５８】
また、前記実施形態においては、テナントチェッカ１２を料金精算機９に対してオフラインに設置するようにしたが、テナントチェッカ１２を料金精算機９とオンラインで接続して設置するようにしてもよい。この場合には、印字不具合を検出した場合に、料金精算機９の通信部１０から直接不具合が生じているテナントチェッカ１２に通知するようにしてもよい。
【００５９】
さらに、前記実施形態においては、利用券として駐車券３、サービス情報として駐車場の割引情報にそれぞれ適用した場合について説明したが、例えば、利用券として、各種アミューズメント施設、ショッピングモールやアウトレットセンターなどの入場券、サービス情報として、割引情報の他、クーポン情報や抽選情報など種々適用が可能である。
【００６０】
また、本発明は上記実施形態に限定されるものではなく、本発明の趣旨に基づいて種々の変形が可能である。
【図面の簡単な説明】
【００６１】
【図１】本発明に係る利用券管理システムの第１実施形態を示す概略構成図である。
【図２】本実施形態における駐車券を示す平面図である。
【図３】本実施形態における駐車券用コードに印字不具合が生じている駐車券を示す平面図である。
【図４】本実施形態における二次元コードを示す説明図である。
【図５】本実施形態における印字位置を変更して駐車券用コードを印字した駐車券を示す平面図である。
【図６】本実施形態における割引用コードに印字不具合が生じている駐車券を示す平面図である。
【図７】本実施形態における印字位置を変更して割引用コードを印字した駐車券を示す平面図である。
【図８】本実施形態における料金精算機による精算処理の動作を示すフローチャートである。
【図９】本実施形態における料金精算機による印字不具合判定処理の動作を示すフローチャートである。
【図１０】本実施形態における駐車券発行機による印字位置設定処理の動作を示すフローチャートである。
【図１１】本実施形態における駐車券発行機による入場処理の動作を示すフローチャートである。
【図１２】本実施形態におけるテナントチェッカによる割引処理の動作を示すフローチャートである。
【図１３】本実施形態における検出用マークを印字した駐車券を示す平面図である。
【図１４】本実施形態における検出用マークを印字した駐車券の他の例を示す平面図である。
【符号の説明】
【００６２】
１  駐車券発行機
２，１９  車両検知器
３  駐車券
４  発行機制御部
５  入場情報生成部
６  駐車券用コード
７  駐車券印字部
８，１７  印字位置設定部
９  料金精算機
１０，１１  通信部
１２  テナントチェッカ
１３，２１  駐車券読み取り部
１４  割引用コード
１５  割引情報生成部
１６  割引情報印字部
１８  チェッカ制御部
２０  精算機制御部
２２  駐車券判定部
２３  割引情報判定部
２４  精算部
２５  表示部
２６  印字不具合位置検出部
２７  保守ステーション
２８  検出用マーク
【図１】
0005438912.tif 000002
【図２】
0005438912.tif 000003
【図３】
0005438912.tif 000004
【図４】
0005438912.tif 000005
【図５】
0005438912.tif 000006
【図６】
0005438912.tif 000007
【図７】
0005438912.tif 000008
【図８】
0005438912.tif 000009
【図９】
0005438912.tif 000010
【図１０】
0005438912.tif 000011
【図１１】
0005438912.tif 000012
【図１２】
0005438912.tif 000013
【図１３】
0005438912.tif 000014
【図１４】
0005438912.tif 000015